(57)【要約】      （修正有）【課題】建物の上階と下階との間の床に形成した四角形の開口部に配設され避難用梯子が収納された避難用ハッチにおいて、建物の設計上制約されることなく狭いバルコニー等に設置でき、かつ、いずれか２カ所の取っ手部に手を掛けられるので力を入れやすく、女性や子供でも楽に開閉操作可能で、緊急時の避難が確実に行える避難用ハッチ及びその上蓋を提供する。【解決手段】ハッチ１の開口部の一辺に枢支された上蓋５の枢支部以外の他の２辺又は３辺の縁部に取っ手部３を設けた上蓋を備え、上蓋の表面に取っ手部の位置を示す矢印を設けている。【選択図】図２
0003108263.tif 000002
【実用新案登録請求の範囲】
【請求項１】
建物の上階と下階との間の床に形成した四角形の開口部に配設され避難用梯子が収納された避難用ハッチにおいて、前記ハッチの開口部の一辺に枢支された上蓋の枢支部以外の他の２辺又は３辺の縁部に取っ手部を設けた上蓋を備えてなることを特徴とする避難用ハッチ。
【請求項２】
建物の上階と下階との間の床に形成した四角形の開口部に配設され避難用梯子が収納された避難用ハッチの上蓋において、前記ハッチの開口部の一辺に枢支された上蓋の枢支部以外の他の２辺又は３辺の縁部に取っ手部を設けてなることを特徴とする避難用ハッチの上蓋。
【請求項３】
前記上蓋の表面に取っ手部の位置を示す矢印を設けてなることを特徴とする請求項２に記載の避難用ハッチの上蓋。
【考案の詳細な説明】
【技術分野】
【０００１】
本考案は建物のバルコニー等上階と下階との間の床面に設置される火災発生時などの緊急避難用ハッチ及びその上蓋に関する。
【背景技術】
【０００２】
一般に避難用ハッチとして、建物のバルコニー等上階と下階との間の床面に穿設された孔部に取り付けられる収納枠と、該収納枠の床面側上部に一辺が枢支された開閉できる上蓋と、収納枠内に折り畳まれて収納されると共に上蓋が開かれたとき、階下の床、又はその近辺まで伸長する梯子とを備えているものが知られている。
【０００３】
前記避難用ハッチは、火災発生時などの緊急避難用として設置されていて、緊急時に容易に開閉できるようにハッチの蓋に取っ手が設けられているが、前記取っ手は上蓋の開放端部に１個のみ形成されていることが多い。
【特許文献１】特開平０７−２３６７０２号公報
【考案の開示】
【考案が解決しようとする課題】
【０００４】
しかし、建物の設計制約上、狭いバルコニー等には壁がある場合が多く、また、消防法により上下階同一線上に避難用ハッチを設置することは禁じられているため、狭いバルコニーでは上蓋の丁番側を壁側にしてハッチを配設すると、手摺り側の壁との間に取っ手位置がきたり、水切りや物干し受けなどの障害物があると、上蓋の開放端部の取っ手には手が掛けにくかったり、手が掛かっても力が入れにくく開閉操作しづらいなどの問題があった。
【課題を解決するための手段】
【０００５】
本願考案者は、上記に鑑み鋭意研究の結果、次の手段によりこの課題を解決した。
（１）建物の上階と下階との間の床に形成した四角形の開口部に配設され避難用梯子が収納された避難用ハッチにおいて、前記ハッチの開口部の一辺に枢支された上蓋の枢支部以外の他の２辺又は３辺の縁部に取っ手部を設けた上蓋を備えてなることを特徴とする避難用ハッチ。
【０００６】
（２）建物の上階と下階との間の床に形成した四角形の開口部に配設され避難用梯子が収納された避難用ハッチの上蓋において、前記ハッチの開口部の一辺に枢支された上蓋の枢支部以外の他の２辺又は３辺の縁部に取っ手部を設けてなることを特徴とする避難用ハッチの上蓋。
（３）前記上蓋の表面に取っ手部の位置を示す矢印を設けてなることを特徴とする前項（２）に記載の避難用ハッチの上蓋。
【考案の効果】
【０００７】
本願考案によれば、次のような効果が発揮される。
１．本願考案の請求項１及び２の考案によれば、
建物の上階と下階との間の床に形成した四角形の開口部に配設され避難用梯子が収納された避難用ハッチにおいて、前記ハッチの開口部の一辺に枢支された上蓋の枢支部以外の他の２辺又は３辺の縁部に取っ手部を設けた上蓋を備えているので、建物の設計制約上、狭いバルコニーの壁際に避難用ハッチが取り付けられても上蓋の２辺又は３辺の縁部に設けられた前記取っ手部のいずれかの１又は２カ所に手を掛けて容易に上蓋を開くことができ、また、２カ所の取っ手部に手を掛けられるので力が入れやすく、女性や子供でも楽に開閉操作可能になる。さらに、水切りや物干し受けなどの障害物があっても容易にいずれか１カ所又は２カ所の取っ手部に手を掛けられるので、緊急時の避難が確実に行える。
【０００８】
２．本願考案の請求項３の考案によれば、
前記請求項１及び２の効果に加えて、前記上蓋の表面に取っ手部の位置を示す矢印を設けてあるので、火災発生時などパニック状態のときでも容易に取っ手部位置を知ることができ、より早く、確実に避難することができる。
【考案を実施するための最良の形態】
【０００９】
本願考案を実施するための最良の形態を実施例の図面に基づいて詳細に説明する。
【００１０】
図１（ａ）は本願考案実施例における避難用ハッチの蓋正面図であり、図１（ｂ）は同考案実施例における避難用ハッチの蓋のＡ−Ａ’断面図であり、図２は同考案実施例における避難用ハッチの外観図である。
【００１１】
図１及び図２において、マンション等建物の上階と下階との間のバルコニー等の床２の壁１０壁面寄りに形成した四角形の床開口部８に配設され避難用梯子７が収納されたステンレス製ハッチ１において、この避難用ハッチ１は前記バルコニー等の床開口部８に収納枠６側面のアンカー１１と床２を支える図示しない鉄筋とを溶接又はフック掛け工法等によって固定されている。
【００１２】
ステンレス製避難用梯子７は、収納枠６内に折り畳まれて収納されると共に上蓋５が開かれたとき、又は図示しない梯子開放レバー等を操作することにより階下の床、又はその近辺まで伸長する。
【００１３】
上蓋５は、収納枠６のハッチ開口部４の上部で壁１０側に取り付けられた丁番９によって回動可能に装着されている。なお、上蓋５は開いたときに９０度以上の位置で止まるように上蓋５’の位置となるようにすることが好ましい。
【００１４】
前記収納枠６に取り付けられた丁番９で回動可能に枢支された上蓋５の開放端側の３辺の縁部に開閉時に手の指を掛けやすいように下方が開放された開閉用の取っ手部３を設けてある。
【００１５】
また、取っ手部３の位置を示すように矢印１２が上蓋５の表面にその形状が凸面を形成するように加工されている。この矢印１２によって火災発生時などパニック状態のときでも容易に取っ手部３の位置を知ることができるが、できれば赤色又は黄色等目立つペンキ等が塗布されていることが好ましい。
【００１６】
さらに、上蓋５の上を人が歩行しても撓みを緩和するように上蓋５の周辺を折り曲げた補強用折り曲げ片１４及び上蓋５の表面にその形状が凸面を形成するように補強用凸部１３が設けられている。これは上蓋５の剛性を増し、かつ雨仕舞いの向上を図ることができる。
【００１７】
前記取っ手部３は、本実施例に限定されることなく、上蓋５の開放端近辺の側面２カ所に設けても良い。また、形状は人の歩行時に邪魔にならず、かつ持ち上げやすい構造にすることも好ましい。
【００１８】
同様に、前記補強用凸部１３の形状及び加工数は本実施例に限定されることなく、上蓋５の材料やその厚み、その大きさに従って形状及び加工数を適宜変更しても良いことは自明である。
【産業上の利用可能性】
【００１９】
避難用梯子が収納された前記避難用ハッチの開口部の一辺に枢支された上蓋の枢支部以外の他の２辺又は３辺の縁部に取っ手部を設けた上蓋を備えているので、建物の設計上制約されることなく、狭いバルコニー等に設置でき、かつ２カ所の取っ手部に手を掛けられるので力を入れやすく、女性や子供でも楽に開閉操作可能になるため、緊急時の避難が確実に行えるので、避難用装置産業に利用できる。
【図面の簡単な説明】
【００２０】
【図１】（ａ）：本願考案実施例における避難用ハッチの蓋正面図                        （ｂ）：同考案実施例における避難用ハッチの蓋のＡ−Ａ’断面図
【図２】同考案実施例における避難用ハッチの外観図
【符号の説明】
【００２１】
１：ハッチ
２：床
３：取っ手部
４：ハッチ開口部
５：上蓋
６：収納枠
７：避難用梯子
８：床開口部
９：丁番
１０：壁
１１：アンカー
１２：矢印
１３：補強用凸部
１４：補強用折り曲げ片
【図１】
0003108263.tif 000003
【図２】
0003108263.tif 000004